(57)【要約】【課題】ＬＩＶＥ音声（本編・有音）の収録を効率よく行うことが可能な音声素材収録放送システムを提供する。【解決手段】放送素材である音声素材を記憶装置１０３に収録し放送する音声素材収録放送システムにおいて、記憶装置１０３への音声素材の収録時に、操作端末１０４で、音声素材の音声立ち上がり点を検知し、且つ音声立ち上がり点より放送送出開始点を設定することを特徴とする。【選択図】図１
2007328879.tif 000002
【特許請求の範囲】
【請求項１】
放送素材である音声素材を収録し放送する音声素材収録放送システムにおいて、音声素材の収録時に音声立ち上がり点を検知し、該音声立ち上がり点より放送送出開始点を設定することを特徴とする音声素材収録放送システム。
【請求項２】
放送素材である音声素材を収録し放送する音声素材収録放送システムにおいて、音声素材の収録時に音声立ち上がり点を検知し、前記音声素材の長さが収録音声の長さと同じであるとき、前記音声立ち上がり点より自動的に規定値戻った位置を放送送出開始点として設定することを特徴とする音声素材収録放送システム。
【請求項３】
放送素材である音声素材を収録し放送する音声素材収録放送システムにおいて、音声素材の収録時に音声立ち上がり点を検知し、前記音声素材の長さが収録音声の長さより短いとき、前記音声立ち上がり点より予め設定した無音区間戻った位置を放送送出開始点として設定することを特徴とする音声素材収録放送システム。
【発明の詳細な説明】
【技術分野】
【０００１】
本発明は、放送素材である音声素材をランダムアクセス可能な放送素材記録装置に収録し、自動放送システムからの指示によって放送を行うシステムにおいて、音声素材の収録時に放送送出開始点を設定する技術に関する。
【背景技術】
【０００２】
アナログ入力の従来型音声ファイルに於いては音声立ち上がり点の検知による自動収録を行う製品が存在していたが、デジタル放送用の多チャンネル音声対応の音声ファイルについてはそのような製品は存在しない。
【０００３】
このため、音声素材の収録を行う際には、音声素材をＭＤ等の音声メディアに一旦収録し、収録制御装置にてタイミングを合わせて放送素材記録装置及び音声メディアの制御を行うことにより、音声メディアからの再生音声を放送素材記録装置に収録を行っていた。
【０００４】
図７は、従来による音声メディアからの再生音声を放送素材記録装置に収録する場合の収録イメージを示す図である。
【０００５】
音声メディアからの再生音声（本編）を放送素材記録装置に収録する場合、放送素材記録装置への収録音声（本編）７０１の前に数秒程度（例えば、２秒）の前捨て部７０２を、収録音声（本編）７０１の後に数秒程度（例えば、２秒）の後捨て部７０３を付加して収録する。
【０００６】
このため、音声メディアからの再生音声（本編）を放送素材記録装置に収録する場合、収録制御装置からの収録指令に基づき収録開始点７０４で放送素材記録装置の収録を開始させ、前捨て部７０２に相当する数秒程度（例えば、２秒）経過後の音声メディア再生開始点７０５で、音声メディアの再生を開始させて、音声メディアからの再生音声（本編）７０６を放送素材記録装置に収録するようにしている。この場合、収録した再生音声（本編）７０６の放送送出開始点は７０５である。
【０００７】
図７は、放送素材記録装置への収録音声（本編）７０１の時間長さと、音声メディアからの再生音声（本編）７０６の時間長さとが同じ場合であるが、音声メディアからの再生音声（本編）７０６の時間長さが放送素材記録装置への収録音声（本編）７０１の時間長さに比べて短い場合は、時間長さ調整のため通常前後に無音区間を付加して収録音声（本編）７０１と同じ長さにする必要がある。そのため、予め無音区間を付加した音声メディアを用意する。
【０００８】
図８は、従来による予め無音区間を付加した音声メディアからの再生音声を放送素材記録装置に収録する場合の収録イメージを示す図である。
【０００９】
音声メディアからの再生音声は、再生音声（本編）８０１の前後に無音区間８０２，８０３が付加されており、収録音声（本編）７０１と同じ時間長さとなっている。
【００１０】
予め無音区間を付加した音声メディアからの再生音声（本編）を放送素材記録装置に収録する場合、収録制御装置からの収録指令に基づき収録開始点７０４で放送素材記録装置の収録を開始させ、前捨て部７０２に相当する数秒程度（例えば、２秒）経過後の音声メディア再生開始点７０５で、音声メディアの再生を開始させて、音声メディアからの無音区間８０２，再生音声（本編）８０１，無音区間８０３を放送素材記録装置に収録する。この場合、収録した再生音声（本編）８０１の放送送出開始点は７０５である。
【００１１】
図９は、従来によるＬＩＶＥ音声を放送素材記録装置に収録する場合の収録イメージを示す図である。
【００１２】
ＬＩＶＥ音声（本編・有音）を放送素材記録装置に収録する場合、ＬＩＶＥ音声なので、前捨て部７０２に相当する数秒程度（例えば、２秒）経過後の音声メディア再生開始点７０５の位置より前で、ＬＩＶＥ音声（本編・有音）９０１が開始されたり、音声メディア再生開始点７０５の位置より後で、ＬＩＶＥ音声（本編・有音）９０２が開始されたりする。またＬＩＶＥ音声９０１，９０２は有音なので前に無音区間を設定する必要がある。
【００１３】
なお、収録制御装置により、放送素材の放送素材記録装置への収録を制御する技術は、公知であり、例えば特許文献１に開示されている。
【００１４】
【特許文献１】特開２００５−２９５４７２号公報
【発明の開示】
【発明が解決しようとする課題】
【００１５】
上記の図８に図示のように、放送素材記録装置への収録音声（本編）７０１に比べて、音声メディアからの再生音声（本編）８０１の時間長さが短い場合は長さ調整のため前後に無音区間８０２，８０３を付加した音声メディアを予め用意しなければならないため、手間がかかり且つ面倒である。
【００１６】
また上記の図９に図示のように、ＬＩＶＥ音声（本編・有音）を放送素材記録装置に収録する場合は、ＬＩＶＥ音声（本編・有音）９０１，９０２の前に無音区間を設定しなければならないだけでなく、放送素材記録装置への収録音声（本編・有音）７０１に比べて、ＬＩＶＥ音声（本編・有音）９０１，９０２の長さが短い場合は前後に時間長さ調整のための無音区間を付加しなければならないため、さらに手間がかかり且つ面倒である。
【００１７】
本発明の目的は、ＬＩＶＥ音声（本編・有音）の収録を効率よく行うことが可能な音声素材収録放送システムを提供することにある。
【課題を解決するための手段】
【００１８】
第１の本発明は、放送素材である音声素材を収録し放送する音声素材収録放送システムにおいて、音声素材の収録時に音声立ち上がり点を検知し、該音声立ち上がり点より放送送出開始点を設定することを特徴とする。
【００１９】
第２の本発明は、放送素材である音声素材を収録し放送する音声素材収録放送システムにおいて、音声素材の収録時に音声立ち上がり点を検知し、前記音声素材の長さが収録音声の長さと同じであるとき、前記音声立ち上がり点より自動的に規定値戻った位置を放送送出開始点として設定することを特徴とする。
【００２０】
第３の本発明は、放送素材である音声素材を収録し放送する音声素材収録放送システムにおいて、音声素材の収録時に音声立ち上がり点を検知し、前記音声素材の長さが収録音声の長さより短いとき、前記音声立ち上がり点より予め設定した無音区間戻った位置を放送送出開始点として設定することを特徴とする。
【発明の効果】
【００２１】
本発明によれば、ＬＩＶＥ音声（本編）の収録を効率よく行うことが可能な音声素材収録放送システムを得ることができる。
【発明を実施するための最良の形態】
【００２２】
図１は、本発明による音声素材収録放送システムの実施の形態の主要部分の構成図である。図１において、１０１はＭＤ等の音声メディア、１０２は収録制御装置、１０３は放送素材記録装置、１０４は操作端末、１０５はＬＩＶＥ音声を入力するマイク、１０６は収録制御装置１０２から放送素材記録装置１０３へ収録指令を与える制御線、１０７は収録制御装置１０２から音声メディア１０１の再生を開始させる再生開始指令を与える制御線、１０８は音声メディア１０１又はＬＩＶＥ音声を入力するマイク１０５からの音声を放送素材記録装置１０３へ入力する収録音声線、１０９は放送素材記録装置１０３へ入力する音声を分配して操作端末１０４へ入力する分配音声線、１１０は出力音声線、１１１はＬＡＮである。
【００２３】
通常の番組・ＣＭ等の収録時、収録の際の前捨て部・後捨て部の長さは数秒程度（例えば、２秒）の固定長となっているが、音声収録の際には前捨て部・後捨て部の長さを運用形態により設定可能な値とし、長めの収録を行う。
【００２４】
音声素材を放送素材記録装置１０３に収録する際、まず、操作端末１０４に対して、音声メディア１０１からの音声素材を収録するか、マイク１０５からのＬＩＶＥ音声を収録するかの選択を行うための操作を行う。即ち、使用機器の選択のための操作を行う。更に、前捨て部及び後捨て部の時間長さの設定のための操作を、操作端末１０４に対して行う。
【００２５】
使用機器の選択のための操作、前捨て部及び後捨て部の時間長さの設定のための操作を行った後に、更に、放送素材記録装置１０３への音声素材の収録を行わせるための操作を操作端末１０４に対して行うことにより、操作端末１０４から収録開始指示がＬＡＮ１１１を介して収録制御装置１０２へ送出される。
【００２６】
なお、前述の説明では、使用機器の選択のための操作を行った後で、前捨て部及び後捨て部の時間長さの設定のための操作を行うと記載したが、前捨て部及び後捨て部の時間長さの設定のための操作を行った後に、使用機器の選択のための操作を行うようにしても良い。
【００２７】
前述の使用機器の選択で音声メディア１０１からの音声素材の収録を選択した場合、収録制御装置１０２は、操作端末１０４からの収録開始指示により、音声メディア１０１及び放送素材記録装置１０３の制御を、タイミングを合わせて行い、放送素材記録装置１０３への音声素材の収録を行う。
【００２８】
即ち、操作端末１０４からの収録開始指示により、収録制御装置１０２が放送素材記録装置１０３に対して音声素材の収録を開始させ、この音声素材収録開始タイミングから前捨て部の時間長さ（操作端末１０４で設定された前捨て部の時間長さ）だけ経過したタイミングで音声メディア１０１の再生を開始されることにより、音声メディア１０１からの再生音声を放送素材記録装置１０３に収録するようにしている。
【００２９】
なお、収録制御装置１０２が放送素材記録装置１０３に対して音声素材の収録を開始させるとき、制御線１０６を介して収録制御装置１０２から放送素材記録装置１０３へ収録開始指令が送出される。また、収録制御装置１０２が音声メディア１０１の再生を開始させるとき、制御線１０７を介して収録制御装置１０２から音声メディア１０１へ再生開始指令が送出される。
【００３０】
一方、前述の使用機器の選択でマイク１０５からのＬＩＶＥ音声の収録を選択した場合、収録制御装置１０２は、操作端末１０４からの収録開始指示により、放送素材記録装置１０３に対して音声素材の収録を開始されるよう収録制御装置１０２を制御する。また、操作端末１０４の画面にはタイマーが表示されることにより、例えば、音声素材の収録開始タイミングでタイマーをスタートさせた場合、前捨て部の時間長さ（操作端末１０４で設定された前捨て部の時間長さ）が表示されたタイミングで、アナウンサーはマイク１０５に向かって音声を発するのを開始する。そして、マイク１０５からのＬＩＶＥ音声が収録音声線１０８を介して放送素材記録装置１０３に収録される。
【００３１】
放送素材記録装置１０３への音声収録中、選択した使用機器（音声メディア１０１、マイク１０５）に関係なく、収録する音声を操作端末１０４に対して分配し、操作端末１０４の図示していないＣＰＵで音声のキャプチャを行う。音声収録完了後に操作端末１０４はキャプチャした音声のデータをＣＰＵで解析して、音声立ち上がり点を自動検知し、自動検知した音声立ち上がり点より放送送出開始点を設定して、図示していないサーバに、設定した放送送出開始点を通知する。
【００３２】
このことで、音声素材収録放送システムは、図示していない自動放送システムからの指示によって放送を行う際、予めサーバに通知された放送送出開始点より、放送素材記録装置１０３へ収録している再生素材（本編）を出力して、送出する。
【００３３】
図２は、図１における操作端末１０４上の音声素材登録画面２０１の例を示す図である。音声素材登録画面２０１は、無音区間の長さ入力部２０２と、ＬＩＶＥ音声のためのタイマー２０３等を有する。
【００３４】
図１において、音声メディア１０１からの音声を収録する場合と、ＬＩＶＥ音声を入力するマイク１０５からの音声を収録する場合で処理内容が異なるため、操作端末１０４上での図示していない音声収録業務画面に於いて、前述の通り、使用機器の選択を行う。
【００３５】
使用機器として音声メディア１０１からの音声が選択された場合は、操作端末１０４からの収録開始指示により、前述の通り、収録制御装置１０２にて音声メディア１０１及び放送素材記録装置１０３の制御を、タイミングを合わせて行い、収録を行う。
【００３６】
図３は、音声メディアからの再生音声（本編）を放送素材記録装置に収録する場合の収録イメージの例を示す図である。図３は、音声メディアからの再生音声（本編）３０１の時間長さが放送素材記録装置への収録音声（本編）７０１の時間長さに比べて短い場合の収録イメージを示す図である。
【００３７】
この場合は、図１の操作端末１０４上の図２の音声素材登録画面２０１における無音区間の長さ入力部２０２で、前述の短い時間の１／２に相当する無音区間を入力して、図３における無音区間３０２を予め設定する。
【００３８】
このことで、音声メディアからの再生音声（本編）を放送素材記録装置に収録する場合、収録制御装置からの収録指令に基づき収録開始点７０４で放送素材記録装置の収録を開始させ、前捨て部７０２に相当する数秒程度（例えば、２秒）経過後の音声メディア再生開始点７０５より、さらに、予め設定した無音区間３０２だけ経過した無音区間経過点３０３で、音声メディアの再生を開始させて、音声メディアからの再生音声（本編）３０１を放送素材記録装置１０３に収録する。この場合、収録した再生音声（本編）３０１より予め設定した無音区間３０２戻った位置を放送送出開始点３０４として設定する。
【００３９】
操作端末１０４上での図示していない音声収録業務画面に於いて使用機器としてＬＩＶＥ音声が選択された場合は、次に、図２の音声素材登録画面２０１が表示される。
【００４０】
ＬＩＶＥ音声の収録を行う際、ＬＩＶＥ音声の時間長さと収録音声（本編）の時間長さとが同一である場合と、ＬＩＶＥ音声の時間長さが収録音声（本編）の時間長さよりも短い場合とで異なる。
【００４１】
ＬＩＶＥ音声の時間長さと収録音声（本編）の時間長さとが同一である場合、設定された前捨て部の時間長さと同じ時間長さだけ、図２に図示のタイマー２０３の指針２０４を左方向に戻してスタートさせる。例えば、前捨て部の時間長さが２秒に設定された場合、タイマー２０３の指針２０４を左方向に戻して２秒戻してスタートさせる。スタートと同時に放送素材記憶装置１０３への音声素材の収録を開始し、２秒後、指針２０４が図示の位置に戻った時点に合わせて、ＬＩＶＥ音声を発生することにより、前捨て部の時間長さを約２秒に合わせることができる。即ち、前捨て部の時間長さを、おおまかではあるが設定された通りに、合わせることができる。
【００４２】
一方、ＬＩＶＥ音声の時間長さが収録音声（本編）の時間長さよりも短い場合、設定された前捨て部の時間長さと無音区間の時間長さの和だけ、図２に図示のタイマー２０３の指針２０４を左方向に戻してスタートさせる。例えば、前捨て部の時間長さが２秒、無音区間が１秒に設定された場合、タイマー２０３の指針２０４を左方向に３秒戻してスタートさせる。スタートと同時に、放送素材記録装置１０３へ音声素材の収録を開始し、３秒後、指針２０４が図示の位置に戻った時点に合わせて、ＬＩＶＥ音声を発生することにより、前捨て部の時間長さと無音区間の時間長さの和を約３秒に合わせることができる。即ち、設定された前捨て部の時間長さと設定された無音区間の時間長さとの和に、おおまかではあるが合わせることができる。
【００４３】
図４は、ＬＩＶＥ音声（本編・有音）を放送素材記録装置に収録する場合の収録イメージの例を示す図であり、ＬＩＶＥ音声（本編・有音）４０１の発生時点が、前捨て部７０２に相当する数秒程度（例えば、２秒）経過後の音声メディア再生開始点７０５より早かった場合の収録イメージを示す図である。
【００４４】
この場合は、図１の操作端末１０４でキャプチャした音声のデータをＣＰＵで解析して、ＬＩＶＥ音声（本編・有音）４０１の音声立ち上がり点４０２を自動検出する。
【００４５】
図４の場合、ＬＩＶＥ音声（本編・有音）４０１の長さは放送素材記録装置１０３への収録音声（本編）７０１の長さと同じ場合であり、この場合は、音声立ち上がり点４０２より自動的に規定値（通常０．５秒）４０３戻った位置を放送送出開始点４０３として設定する。
【００４６】
図５は、ＬＩＶＥ音声（本編・有音）を放送素材記録装置に収録する場合の収録イメージの他の例を示す図であり、ＬＩＶＥ音声（本編・有音）５０１の発生時点が、前捨て部７０２に相当する数秒程度（例えば、２秒）経過後の音声メディア再生開始点７０５より遅かった場合の収録イメージを示す図である。
【００４７】
この場合も、図２の操作端末１０４でキャプチャした音声のデータをＣＰＵで解析して、ＬＩＶＥ音声（本編・有音）５０１の音声立ち上がり点５０２を自動検出する。
【００４８】
図５の場合、ＬＩＶＥ音声（本編・有音）５０１の長さは放送素材記録装置１０３への収録音声（本編）７０１の長さと同じ場合であり、この場合も、音声立ち上がり点５０２より自動的に規定値（通常０．５秒）５０３戻った位置を放送送出開始点５０４として設定する。
【００４９】
図６は、ＬＩＶＥ音声（本編・有音）を放送素材記録装置に収録する場合の収録イメージのさらに他の例を示す図であり、ＬＩＶＥ音声（本編・有音）６０１の長さが放送素材記録装置１０３への収録音声（本編）７０１の長さに比べて短い場合の収録イメージを示す図である。
【００５０】
この場合、図２の操作端末１０４でキャプチャした音声のデータをＣＰＵで解析して、ＬＩＶＥ音声（本編・有音）６０１の音声立ち上がり点６０２を自動検出し、音声立ち上がり点６０２より、図２の無音区間の長さ入力部２０２で入力したところの予め設定した無音区間６０３戻った位置を放送送出開始点６０４として設定する。
【図面の簡単な説明】
【００５１】
【図１】本発明による音声素材収録放送システムの実施の形態の主要部分の構成図である。
【図２】図１における操作端末上の音声素材登録画面の例を示す図である。
【図３】音声メディアからの再生音声（本編）を放送素材記録装置に収録する場合の収録イメージの例を示す図である。
【図４】ＬＩＶＥ音声（本編・有音）を放送素材記録装置に収録する場合の収録イメージの例を示す図である。
【図５】ＬＩＶＥ音声（本編・有音）を放送素材記録装置に収録する場合の収録イメージの他の例を示す図である。
【図６】ＬＩＶＥ音声（本編・有音）を放送素材記録装置に収録する場合の収録イメージのさらに他の例を示す図である。
【図７】従来による音声メディアからの再生音声を放送素材記録装置に収録する場合の収録イメージを示す図である。
【図８】従来による予め無音区間を付加した音声メディアからの再生入力を放送素材記録装置に収録する場合の収録イメージを示す図である。
【図９】従来によるＬＩＶＥ音声を放送素材記録装置に収録する場合の収録イメージを示す図である。
【符号の説明】
【００５２】
１０１：音声メディア、１０２：収録制御装置、１０３：放送素材記録装置、１０４：操作端末、１０５：ＬＩＶＥ音声を入力するマイク、１０６，１０７は制御線、１０８：収録音声線、１０９：分配音声線、１１０：出力音声線、１１１：ＬＡＮ、２０１：音声素材登録画面、２０２：無音区間の長さ入力部、２０３：タイマー、３０１：音声メディアからの再生音声（本編）、３０２：予め設定した無音区間、３０３：無音区間経過点、３０４：放送送出開始点、４０１，５０１，６０１：ＬＩＶＥ音声（本編・有音）、４０２．５０２，６０２：音声立ち上がり点、４０３，５０３：規定値、４０４，５０４：放送送出開始点、６０３：予め設定した無音区間、６０４：放送送出開始点、７０１：放送素材記録装置への収録音声（本編）、７０２：前捨て部、７０３：後捨て部、７０４：収録開始点、７０５：音声メディア再生開始点、７０６：音声メディアからの再生音声（本編）、８０１：再生音声（本編）、８０２，８０３：無音区間、９０１，９０２：ＬＩＶＥ音声（本編・有音）。
【図１】
2007328879.tif 000003
【図２】
2007328879.tif 000004
【図３】
2007328879.tif 000005
【図４】
2007328879.tif 000006
【図５】
2007328879.tif 000007
【図６】
2007328879.tif 000008
【図７】
2007328879.tif 000009
【図８】
2007328879.tif 000010
【図９】
2007328879.tif 000011